(57)【要約】      （修正有）【課題】スロットイン方式のディスク装置を構成する既存の部品形状を変更して、ディスク装置の故障や異常等によって通常の操作による排出が不可能な場合におけるディスクの強制的な排出を可能としたエマージェンシー機能を有するディスク装置を備えた電子機器を提供する。【解決手段】駆動モーターにより回転するギアが噛合するラックギアを有するスライダー１９と、挿入口より挿入されたディスクの奥側外周縁に当接するディスク支持部材８にそれぞれスライダー側係止部３１とディスク支持部材側係止部３０を形成し、電子機器の筐体には、スライダー側係止部３１及びディスク支持部材側係止部３０に係止して、スライダー１９とディスク支持部材８を移動させる強制解除部材が挿通する解除孔をそれぞれ形成した。【選択図】図１４
0003161728.tif 000002
【実用新案登録請求の範囲】
【請求項１】
ディスクの外周縁に当接して前記ディスクを所定位置へ誘導するディスク支持部材と、駆動モーターによって移動可能とするスライダーと、ディスクから情報の読み込み又は書き込みを行うピックアップユニットを主要構成部品として備えるトラバースユニットを備えたディスク装置を筐体内に組み付け構成する電子機器であって、前記トラバースユニットはスライダーの移動に連動して傾動可能とし、前記スライダーにはディスク装置の外部から強制解除部材を係止させて前記スライダーを移動させるためのスライダー側係止部を形成し、前記ディスク支持部材にはディスク装置の外部から強制解除部材を係止させて前記ディスク支持部材を移動させるためのディスク支持部材側係止部を形成したことを特徴とするディスク装置を備えた電子機器。
【請求項２】
前記ディスク支持部材の移動方向と前記スライダーの移動方向を略同一方向としたことを特徴とする請求項１に記載のディスク装置を備えた電子機器。
【請求項３】
前記筐体には、強制解除部材を挿通してスライダー側係止部に当接させて前記スライダーを移動させるためのスライダー側解除孔と、前記強制解除部材を挿通してディスク支持部材側係止部に当接させて前記ディスク支持部材を移動させるためのディスク支持部材側解除孔をそれぞれ形成したことを特徴とする請求項１又は請求項２の何れか１項に記載のディスク装置を備えた電子機器。
【考案の詳細な説明】
【技術分野】
【０００１】
本考案は、内部に搬送されたディスクが装置の故障や異常等によって通常の操作による排出が不可能な場合におけるディスクの強制的な排出を可能とした所謂エマージェンシー機能を有するスロットイン方式のディスク装置を備えた電子機器に関する。
【背景技術】
【０００２】
ディスク装置を有する電子機器において、通常の操作によるディスクの排出動作とは、前記電子機器に備えられた操作釦、或いは前記電子機器を遠隔操作する送信機に備えられた操作釦の中からユーザーがディスクを排出するための釦を押圧することで、ディスク装置の内部にあるディスクが外部に排出される動作のことである。従って、電子機器に備えられた操作釦又は送信機に備えられた操作釦の中でディスクを排出するための釦を押圧した後は、ディスク装置の内部にあるディスクが外部に排出されるまで電気的な制御によって前記ディスクの排出動作が行われる。
【０００３】
しかし、ディスク装置の故障や異常等によって上記通常の操作によるディスクの排出が不可能となる場合が考えられる。尚、ここで述べる通常の操作によるディスクの排出が不可能な場合とは、電子機器に備えられた操作釦、或いは前記電子機器を遠隔操作する送信機に備えられた操作釦の中からユーザーがディスクを排出するための釦を押圧しても、ディスク装置の内部にあるディスクが外部に排出されない場合をいい、前述の通常の操作によるディスクの排出動作が不可能な場合におけるディスクの強制的な排出機能として、特許文献１には、薄型テレビの背面側にディスク装置が設けられ、前記ディスク装置には、ディスクを搬送するモーターと、前記モーターによって回転するギア群の一つと噛合する排出ボタンを設けた構造が記載されており、前述の構造によって、例えばモーターが回転出来ない場合であっても、排出ボタンを押すことによってギア群を強制的に回転させて装置内部のディスクを取り出すことが可能となる。
【０００４】
【特許文献１】特開２００９−３７６８０号公報
【考案の開示】
【考案が解決しようとする課題】
【０００５】
しかし、特許文献１の構造によれば、通常のディスク装置を構成する部品に加えて排出ボタンを追加する必要があり、又、ディスク装置の内部において前記排出ボタンをギア群の近傍に設置するためのスペースが必要となることから、ディスク装置のコストアップ、前記ディスク装置の大型化、及び構造の複雑化が懸念される。
【０００６】
本考案は上述した点に鑑みてなされたものであって、その目的とするところは、スロットイン方式のディスク装置を構成する既存の部品形状を変更して、ディスク装置の故障や異常等によって通常の操作による排出が不可能な場合におけるディスクの強制的な排出を可能としたエマージェンシー機能を有するディスク装置を備えた電子機器を実現することにある。
【課題を解決するための手段】
【０００７】
請求項１に係るディスク装置を備えた電子機器は、ディスクの外周縁に当接して前記ディスクを所定位置へ誘導するディスク支持部材と、駆動モーターによって移動可能とするスライダーと、ディスクから情報の読み込み又は書き込みを行うピックアップユニットを主要構成部品として備えるトラバースユニットを備えたディスク装置を筐体内に組み付け構成する電子機器であって、前記トラバースユニットはスライダーの移動に連動して傾動可能とし、前記スライダーにはディスク装置の外部から強制解除部材を係止させて前記スライダーを移動させるためのスライダー側係止部を形成し、前記ディスク支持部材にはディスク装置の外部から強制解除部材を係止させて前記ディスク支持部材を移動させるためのディスク支持部材側係止部を形成したことを特徴としている。
【０００８】
又、請求項２に係るディスク装置を備えた電子機器は、請求項１に記載のディスク装置を備えた電子機器であって、前記ディスク支持部材の移動方向と前記スライダーの移動方向を略同一方向としたことを特徴としている。
【０００９】
又、請求項３に係るディスク装置を備えた電子機器は、請求項１又は請求項２の何れか１項に記載のディスク装置を備えた電子機器であって、前記筐体には、強制解除部材を挿通してスライダー側係止部に当接させて前記スライダーを移動させるためのスライダー側解除孔と、前記強制解除部材を挿通してディスク支持部材側係止部に当接させて前記ディスク支持部材を移動させるためのディスク支持部材側解除孔をそれぞれ形成したことを特徴としている。
【考案の効果】
【００１０】
以上のような本考案の構成によれば、トラバースユニットの傾動動作に連動するスライダーとディスク支持部材にそれぞれ係止部を形成し、電子機器の筐体に設けた解除孔より強制解除部材を挿通して前記係止部を介してスライダー及びディスク支持部材を所定の順序で強制的に移動させることによって装置内部におけるディスクの挟持状態が解除され、前記ディスクを排出することが可能となる。即ち、特許文献１で示すような排出ボタンを設けることなく、スロットイン方式のディスク装置を構成するために必要となる既存の部品形状の変更によってエマージェンシー機能を追加することが可能となり、ディスク装置の製品価格を安価に抑えることが出来、又、前記ディスク装置の大型化や構造の複雑化を防止出来る。
【図面の簡単な説明】
【００１１】
【図１】本考案の実施例におけるディスク装置単体を示す天面側斜視図。
【図２】本考案の実施例におけるディスク装置単体を示す底面側斜視図。
【図３】本考案の実施例におけるディスク装置単体を示す断面図。
【図４】本考案の実施例におけるディスク装置の挿入口より大径ディスクを一部挿入した状態を示す概略平面透視図。
【図５】大径ディスクがディスク装置の内部に約１／２搬送された状態を示す概略平面透視図。
【図６】大径ディスクが図５の状態よりもさらにディスク装置の内部へ搬送された状態を示す概略平面透視図。
【図７】大径ディスクが図６の状態よりもさらにディスク装置の内部へ搬送された状態を示す概略平面透視図。
【図８】大径ディスクがディスク装置内部の所定位置に搬送された状態を示す概略平面透視図。
【図９】本考案の実施例におけるスライダーがディスク装置内部の後方側へ移動した状態を示す概略平面透視図。
【図１０】本考案の実施例におけるディスク支持部材単体の形状を示す斜視図であり、図１０（ａ）はディスク支持部材単体の天面側斜視図、図１０（ｂ）は同底面側斜視図。
【図１１】本考案の実施例におけるスライダー単体の形状を示す斜視図であり、図１１（ａ）はスライダー単体の天面側斜視図、図１１（ｂ）は同底面側斜視図。
【図１２】本考案の実施例におけるディスク装置を内蔵した電子機器を示す正面側斜視図。
【図１３】本考案の実施例におけるディスク装置内部の所定位置に大径ディスクが搬送された状態を示す電子機器の背面図。
【図１４】本考案の実施例におけるディスク装置内部の所定位置に大径ディスクが搬送された状態を示す電子機器に備えるディスク装置単体の底面図。
【図１５】図１３の状態から強制解除部材によってスライダーを移動させた状態を示す電子機器の背面図。
【図１６】図１４の状態から強制解除部材によってスライダーを移動させた状態を示す電子機器に備えるディスク装置単体の底面図。
【図１７】図１５の状態から強制解除部材によってディスク支持部材を移動させた状態を示す電子機器の背面図。
【図１８】図１６の状態から強制解除部材によってディスク支持部材を移動させた状態を示す電子機器に備えるディスク装置単体の底面図。
【考案を実施するための形態】
【００１２】
以下、本考案を実施するための最良の形態としての実施例を図１〜図１８を用いて説明する。なお、本考案はその主旨に反しない範囲で、実施例において説明した構成以外のものに対しても容易に適用可能である。
【００１３】
図１は本考案の実施例におけるディスク装置単体を示す天面側斜視図、図２は本考案の実施例におけるディスク装置単体を示す底面側斜視図、図３は本考案の実施例におけるディスク装置単体を示す断面図である。同図で示すように、本実施例のディスク装置１は、大径ディスク又は小径ディスクの挿抜が直接可能な所謂スロットイン方式のディスク装置であり、本実施例におけるディスクとは、音声信号及び／又は映像信号を記録した、或いは前記各信号の記録を可能とした媒体であり、例えば、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ）等と称される略円盤形状の媒体を示す。又、前記ディスクには、直径が約１２０ＭＭの大径ディスクと、直径が約８０ＭＭの小径ディスクが存在する。前記ディスクをディスク装置１の挿入口３から挿入することで、前記挿入口３の内面側近傍においてディスクの挿入方向に対し直交する方向へ延び、前記ディスクの片面側より外周縁近傍に当接する搬送ローラー４３が回動して、前記ディスクはディスク装置１内部の所定位置へ搬送される。このとき、挿入するディスクが大径ディスクであっても、或いは小径ディスクであっても、その中心が前記ディスク装置１内部の所定位置に到達してターンテーブル４２とクランパー４によって確実に挟持される構造となっている。
【００１４】
尚、本実施例における搬送ローラー４３について詳述すると、前記搬送ローラー４３は両端部より中央に向かって径が小さくなるテーパー状となっており、挿入口３より挿入されるディスクの記録面側の外周縁近傍に当接するようディスク装置１の内部に配設されている。前述の構造により、テーパー状の搬送ローラー４３は挿入するディスクの記録面側に配設しても常に前記ディスクの外周縁近傍に当接することから、前記ディスクの記録面を傷付けることなくディスク装置１内部の所定位置へ搬送することが可能となる。又、前記挿入口３は大径ディスクが挿入可能な大きさで形成されていることから、小径ディスクを挿入する場合には前記挿入口３の中央位置から左右何れかに偏って挿入されることが考えられる。しかし、搬送ローラー４３の形状を両端部から中央に向かって径が小さくなるテーパー状に形成していることによって、前記挿入口３の中央位置から左右何れかに偏って小径ディスクが挿入された場合であっても、前記小径ディスクを中央位置へと寄せながらディスク装置１内部の所定位置へ搬送することが出来る。尚、前記搬送ローラー４３の対向位置には、挿入するディスクの表示面側より前記搬送ローラー４３側に向かって常時押圧力を付与する押圧部材５１が配設されている。従って、挿入口３より挿入されたディスクは、前記押圧部材５１によって搬送ローラー４３側に押付けられ、前記搬送ローラー４３の回転によって前記ディスクをディスク装置１の内部に搬送することが出来る。
【００１５】
そして、前記搬送ローラー４３の一方側端部にはギア２１が取着されており、前記ギア２１はその近傍に配設された駆動モーター４４の動力を得て回転する。本実施例では、前記駆動モーター４４の軸にウォームギアを取付けており、前記ウォームギアから減速ギア機構を介して搬送ローラー４３に動力の伝達を行う構造としている。尚、駆動モーター４４の動力は、搬送ローラー４３の回転の他に後述するスライダーの移動を行うための動力としても使用している。又、前記減速ギア機構については搬送ローラー４３及び後述するスライダーへの適切な動力伝達が可能な構成であれば特に限定しない。
【００１６】
次に、ディスク装置１の挿入口３からディスクを挿入したときの動作について説明する。図４は本考案の実施例におけるディスク装置の挿入口より大径ディスクを一部挿入した状態を示す概略平面透視図である。同図で示すように、前記ディスク検知スライダー５ａ，５ｂは図の左右方向へ移動可能に組付けられており、前記ディスク検知スライダー５ａ，５ｂと一体に形成された当接ピン６ａ，６ｂにディスク装置１の挿入口３より挿入される大径ディスクＤの外周縁が当接することによって、前記当接ピン６ａ，６ｂが互いに離間する方向に押圧され、前記ディスク検知スライダー５ａ，５ｂは同図で示す左右方向（矢印Ａ及び矢印Ｂの方向）へ互いが離間するように移動する。
【００１７】
図５は大径ディスクがディスク装置の内部に約１／２搬送された状態を示す概略平面透視図である。同図で示すように、図４の状態から大径ディスクＤがさらにディスク装置１の内部へ搬送されることによって、前記大径ディスクＤの外周縁に当接する当接ピン６ａ，６ｂと共にディスク検知スライダー５ａ，５ｂは同図の左右方向（矢印Ａ及び矢印Ｂの方向）へ互いが離間するように移動し、同時にディスク検知レバー７は軸１０を支点にさらに時計方向（矢印Ｃの方向）へ回動する。
【００１８】
図６は大径ディスクが図５の状態よりもさらにディスク装置の内部へ搬送された状態を示す概略平面透視図である。同図で示すように、ディスク検知スライダー５ａ，５ｂは図５で示す状態よりも互いが近接する方向（矢印Ｄ及び矢印Ｅの方向）へ僅かに戻される。これは、前記ディスク検知スライダー５ａ，５ｂが互いに近接する方向（矢印Ｄ及び矢印Ｅの方向）へ常時付勢する付勢力が働いているためである。すなわち、大径ディスクＤの外周縁に当接する当接ピン６ａ，６ｂは、互いの間隔が搬送されるディスクの直径を最大として前記付勢力に抗して離間するため、前記大径ディスクＤが外径の１／２以上搬送されると前記大径ディスクＤの外周縁に当接している前記当接ピン６ａ，６ｂの互いの間隔は小さくなり、左右方向に離間するよう移動していたディスク検知スライダー５ａ，５ｂは前記付勢力によって戻される。尚、本実施例では前記付勢力を発生させる手段として前記ディスク検知レバー７にコイルスプリング１５を連結している。前記コイルスプリング１５によって、ディスク検知レバー７を反時計方向（矢印Ｆの方向）へ回動させる付勢力が発生し、前記ディスク検知レバー７と連結しているディスク検知スライダー５ａは、前記コイルスプリング１５の付勢力によって内方向（矢印Ｄの方向）へ移動し、同時にピニオンギア１６を介して噛合しているディスク検知スライダー５ｂも内方向（矢印Ｅの方向）へ移動する。
【００１９】
図７は大径ディスクが図６の状態よりもさらにディスク装置の内部へ搬送された状態を示す概略平面透視図である。同図で示すように、ディスク検知レバー７は軸１０を支点に反時計方向（矢印Ｆの方向）へ回動すると共に、ディスク検知スライダー５ａ，５ｂは互いが近接する内方向（矢印Ｄ及び矢印Ｅの方向）へ移動する。そして、大径ディスクＤは駆動モーター４４の動力によって回転する搬送ローラー４３によってディスク装置１の内部に搬送され、前記ディスク装置１内部に配設されたディスク支持部材８に前記大径ディスクＤの外周縁が当接して、前記搬送ローラー４３によって移動する前記大径ディスクＤに押圧されて、前記ディスク支持部材８はディスク装置１内部の後方側（矢印Ｇの方向）へ移動する。尚、前記ディスク支持部材８についても搬送されるディスクの外周縁が当接する前の位置を基準として、常時この基準となる位置に復帰出来るよう付勢力が働いている。そして、この付勢力に抗して搬送される大径ディスクＤの押圧力により、前記ディスク支持部材８はディスク装置１内部の後方側（矢印Ｇの方向）へ移動する。
【００２０】
尚、同図で示すように、本考案の実施例におけるディスク装置１では、大径ディスクＤの挿入方向とほぼ平行に移動可能なスライダー１９が取付けられ、前記スライダー１９はディスク検知レバー７、ディスク支持部材８、及び中間ガイドレバー９と連動して前記大径ディスクＤをディスク装置１内部の所定位置においてターンテーブル４２とクランパー４によって挟持することが出来る。同じく、小径ディスクを挿入した場合においても、大径ディスクＤと区別してディスク装置１内部の所定位置へ搬送し、前記所定位置においてターンテーブル４２とクランパー４によって挟持することが出来る。
【００２１】
又、同図で示す減速ギア機構２０は、駆動モーター４４から動力を得て回転し、ギア２１は搬送ローラー４３と直結しており、前記ギア２１が回転することによって大径ディスクＤはディスク装置１の内部へ搬送される。
【００２２】
更に、スライダー１９にはギア２１と噛合可能なラックギア２２が形成されており、同図で示す状態においては、前記ラックギア２２は前記ギア２１と噛合しておらず、駆動モーター４４の動力によってスライダー１９が移動することは無い。すなわち、挿入口３からディスクが挿入されてディスク装置１内部の所定位置に到達するまでの間は前記スライダー１９が駆動モーター４４の動力によって移動することがないようギア２１とラックギア２２の噛合状態を解除しており、前記ディスクの搬送に併せて稼動するディスク検知レバー７、ディスク支持部材８、及び中間ガイドレバー９に連動して、前記スライダー１９は僅かに後方側（矢印Ｊの方向）へ移動し、前記ラックギア２２は前記ギア２１と噛合する。その後は、駆動モーター４４の動力により前記スライダー１９の移動が可能となる。
【００２３】
ここで、前記ギア２１と前記ラックギア２２の噛合について詳述する。前記スライダー１９には概略円弧状に湾曲した摺動カム溝２３を有し、前記摺動カム溝２３には、ディスク検知レバー７から下方に向かって設けた第２の突片２４が遊嵌している。前記第２の突片２４は、前記ディスク検知レバー７が軸１０を中心として回動する動作に併せて前記摺動カム溝２３に沿って移動することが出来る。そして、大径ディスクＤの後方外周縁がディスク支持部材８に当接し、前記ディスク支持部材８が前記大径ディスクＤと共に後方へ移動することで、中間ガイドレバー９が時計方向に回動して第１の突片１２が遊嵌するセレクト溝１４ｂを介してディスク検知レバー７を後方へ移動する。その結果、摺動カム溝２３に遊嵌している第２の突片２４がスライダー１９を後方側（矢印Ｊの方向）へ僅かに移動させ、前記スライダー１９に設けているラックギア２２は上記ギア２１と噛合することが出来る。
【００２４】
図８は大径ディスクがディスク装置内部の所定位置に搬送された状態を示す概略平面透視図である。同図で示すように、中間ガイドレバー９は軸４８を支点に反時計方向（矢印Ｈの方向）へ回動し、その後、ディスク検知レバー７がコイルスプリング１５の付勢力によって更に反時計方向（矢印Ｆの方向）へ回動することで、前記中間ガイドレバー９から起立する第１の突片１２が前記ディスク検知レバー７の他端部１３に形成されたセレクト溝１４ｂに遊嵌する。
【００２５】
ディスク装置１の挿入口３より大径ディスクＤを挿入する前は、図４で示すように、中間ガイドレバー９から起立した第１の突片１２はディスク検知レバー７の他端部１３に形成されたセレクト溝１４ａに遊嵌した状態となっていたが、搬送ローラー４３によってディスク装置１の内部に搬送された大径ディスクＤの外周縁に押圧されてディスク支持部材８が前記ディスク装置１内部の後方側（矢印Ｇの方向）へ移動し、前記ディスク支持部材８の動作に連動して前記中間ガイドレバー９が反時計方向（矢印Ｈの方向）へ回動するため、前記第１の突片１２は遊嵌する位置がセレクト溝１４ａからセレクト溝１４ｂに替わる。
【００２６】
前記中間ガイドレバー９の第１の突片１２がセレクト溝１４ａからセレクト溝１４ｂに遊嵌した状態で、前記大径ディスクＤは搬送ローラー４３によってさらにディスク装置１内部へ搬送され、ディスク支持部材８は前記大径ディスクＤと共にその搬送力に付随して後方側（矢印Ｇの方向）へ移動し、前記ディスク支持部材８の移動に伴って中間ガイドレバー９はさらに反時計方向（矢印Ｈの方向）へ回動する。そして、中間ガイドレバー９の第１の突片１２がディスク検知レバー７の他端部１３に形成されたセレクト溝１４ｂに遊嵌した状態となっているため、前記第１の突片１２が前記セレクト溝１４ｂを介してディスク検知レバー７を後方側（矢印Ｉの方向）へ移動させる。尚、前記ディスク検知レバー７の後方側（矢印Ｉの方向）の移動を可能とするため、支点となる軸１０が嵌る前記ディスク検知レバー７の穴は長穴形状（以下、長穴４１と称す）とし、前記長穴４１に軸１０を遊嵌した構造としている。又、ディスク支持部材８と中間ガイドレバー９の連結構造について一例を詳述すると、前記ディスク支持部材８から起立するピン１７を中間ガイドレバー９に形成したガイド溝１８に遊嵌し、前記ディスク支持部材８が大径ディスクＤに押圧されて後方側（矢印Ｇの方向）へ移動することで、前記ピン１７は遊嵌するガイド溝１８に沿って移動し、前記中間ガイドレバー９は軸４８を支点に反時計方向（矢印Ｈの方向）へ回動することが出来る。
【００２７】
尚、同図で示すように、駆動モーター４４の動力で回転する減速ギア機構２０のギア２１とスライダー１９のラックギア２２が噛合することによって、前記スライダー１９は前記駆動モーター４４の動力によってディスク装置１内部の後方側（矢印Ｊの方向）へ移動することが出来る。
【００２８】
ところで、スライダー１９にはガイド溝２７が形成してあり、前記ガイド溝２７には、前記スライダー１９と略直交してフレーム２に対し移動可能に配設された横スライダー２９から起立する第４の突片２８が遊嵌している。すなわち、スライダー１９が後方側（矢印Ｊの方向）へ移動することで、ガイド溝２７に遊嵌した第４の突片２８を介し、前記第４の突片２８が形成された横スライダー２９は図示右側（矢印Ｍの方向）へ移動する。そして、本実施例では、前記横スライダー２９の動作に連動して、ターンテーブル４２やピックアップユニット５０を主要構成部品として備えたトラバースユニット４９が傾動する構造としている。すなわち、ディスク装置１内部の所定位置に大径ディスクＤが到達した時点でスライダー１９が駆動モーター４４の動力で前記ディスク装置１内部の後方側（矢印Ｊの方向）へ移動し、前記スライダー１９に連動して横スライダー２９も図示右側（矢印Ｍの方向）へ移動し、前記横スライダー２９に連動してトラバースユニット４９が一方端部を支点に傾斜した状態から略水平な状態となるよう傾動する。そして、大径ディスクＤの記録面側より前記トラバースユニット４９の主要構成部品たるターンテーブル４２の一部が前記大径ディスクＤの略中央部分に形成された貫通孔に挿嵌し、更に前記大径ディスクＤを持ち上げ、前記ターンテーブル４２と対向する位置に配置されたクランパー４と共に前記大径ディスクＤを挟持する。この時点では、搬送ローラー４３から大径ディスクＤは離間しているが、前記大径ディスクＤの外周縁においては当接ピン６ａ，６ｂ及びディスク支持部材８は当接したままとなっている。
【００２９】
図９は本考案の実施例におけるスライダーがディスク装置内部の後方側へ移動した状態を示す概略平面透視図である。同図で示すように、ディスク検知レバー７に形成された第２の突片２４は、スライダー１９に形成された摺動カム溝２３の前方側端部に位置する状態まで前記スライダー１９はディスク装置１内部の後方側（矢印Ｊの方向）へ移動する。
【００３０】
ところで、前記摺動カム溝２３はスライダー１９の移動方向と平行となるよう形成されておらず、湾曲した形状となっている。そのため、前記摺動カム溝２３に遊嵌している第２の突片２４を介してディスク検知レバー７は軸１０を支点として時計方向（矢印Ｃの方向）へ僅かに回動すると共に、前記ディスク検知レバー７の先端に設けた長孔１１に遊嵌している当接ピン６ａを介し、ディスク検知スライダー５ａは大径ディスクＤの外周縁から離間する方向（矢印Ａの方向）へ移動する。そして、前記ディスク検知スライダー５ａとピニオンギア１６を介して連結するディスク検知スライダー５ｂについても前記大径ディスクＤの外周縁から離間する方向（矢印Ｂの方向）へ移動する。
【００３１】
一方、スライダー１９の後方端部には２つのセレクトガイド溝２５ａ，２５ｂが形成されており、前記セレクトガイド溝２５ａ，２５ｂに選択的に遊嵌する第３の突片２６が中間ガイドレバー９と一体に形成されている。そして、本実施例ではディスク装置１の挿入口３より大径ディスクＤを挿入した場合、前記スライダー１９が前記ディスク装置１内部の後方側（矢印Ｊの方向）へ移動して前記セレクトガイド溝２５ａに第３の突片２６が遊嵌し、前記スライダー１９が更に前記ディスク装置１内部の後方側（矢印Ｊの方向）へ移動することで、前記セレクトガイド溝２５ａの溝底に達した前記第３の突片２６は前記スライダー１９と共に後方側（矢印Ｊの方向）へ移動する。その結果、中間ガイドレバー９は軸４８を支点として反時計方向（矢印Ｈの方向）へ回動する。そして、前記中間ガイドレバー９のガイド溝１８に遊嵌しているピン１７を介して前記ディスク支持部材８はディスク装置１内部の後方側（矢印Ｇの方向）へ移動し、大径ディスクＤの外周縁に当接していた前記ディスク支持部材８は離間する。
【００３２】
又、横スライダー２９に形成された第４の突片２８が遊嵌するスライダー１９のガイド溝２７は、前記スライダー１９の移動方向と略平行に形成された位置の異なる端部を傾斜部分で連結した形状を成している。そして、前記スライダー１９に形成されたラックギア２２が減速ギア機構２０の一部品たるギア２１に噛合するまでは、図１０に示すように前記横スライダー２９の第４の突片２８は前記ガイド溝２７の外側後方端部に位置しているが、前記ラックギア２２が前記ギア２１と噛合して前記スライダー１９はディスク装置１内部の後方側（矢印Ｊの方向）へ移動を開始すると前記ガイド溝２７の傾斜部分を伝って、最終的には図９で示すように前記第４の突片２８は前記ガイド溝２７の内側前方端部へ移動する。
【００３３】
従って、横スライダー２９はスライダー１９の移動に連動して、図示右方向（矢印Ｍの方向）へ移動することが出来る。前記横スライダー２９には、図示しないガイド溝が設けられており、ピックアップユニット５０やターンテーブル４２を主要構成部品とするトラバースユニット４９の一方端部はフレーム２と連結する連結部分を傾動支点とし、前記トラバースユニット４９の他方端部は先端に突出した突起を前記横スライダー２９に形成されたガイド溝に遊嵌している。従って、大径ディスクＤをディスク装置１の挿入口３より挿入する前においては、連結部分を支点に傾斜した状態にあるトラバースユニット４９が前記大径ディスクＤの搬送に伴うスライダー１９の移動、及び前記スライダー１９に連動した横スライダー２９の移動によって、前記横スライダー２９のガイド溝に遊嵌したトラバースユニット４９の突起が前記ガイド溝に沿って移動し、前記トラバースユニット４９は略水平状態となるよう傾動する。そして、大径ディスクＤの記録面側より前記トラバースユニット４９の主要構成部品たるターンテーブル４２の一部が前記大径ディスクＤの略中央部分に形成された貫通孔に挿嵌し、更に前記大径ディスクＤを持ち上げ、前記ターンテーブル４２と対向する位置に配置されたクランパー４と共に前記大径ディスクＤを挟持する。
【００３４】
以上、本考案の実施例で示すディスク装置１において、挿入口３より大径ディスクＤを挿入してから前記ディスク装置１内部の所定位置に到達するまでの動作について説明した。尚、小径ディスクを挿入した場合においては、外径の違いによる当接ピン６ａ，６ｂの離間距離、ディスク検知レバー７及び中間ガイドレバーの回動量、ディスク支持部材９の移動量の相違によって各部品の動作のタイミングを変えて、基本的には大径ディスクＤを挿入した場合とほぼ同じ動作によってディスク装置１内部の所定位置へ到達する構造としているため、詳細については割愛する。
【００３５】
上述で示すように、ディスク装置１内部の所定位置においてターンテーブル４２とクランパー４によって挟持されたディスクは、前記ターンテーブルと共に回転し、トラバースユニット４９に備えたピックアップユニット５０によって前記ディスクに記録された情報を読み込み再生する、或いは前記ディスクに情報を書き込み記録することが可能となる。
【００３６】
次にディスク装置１内部の所定位置においてディスクの再生又は記録が可能な状態から前記ディスクを排出する通常の操作によるディスクの排出動作について説明する。先ず、ディスク装置１が内蔵された電子機器に備えられた操作釦、或いは前記電子機器を遠隔操作する送信機に備えられた操作釦の中からユーザーがディスクを排出するための釦を選択して押圧する。例えば、ディスク装置１内部の所定位置においてディスクを回転し、ピックアップユニット５０によって情報を読み込み再生している状況で前記ディスクを排出するための釦を押圧するならば、前記ピックアップユニット５０による情報の読み込みとターンテーブル４２による前記ディスクの回転が停止される。そして、駆動モーター４４がディスクを挿入する場合とは逆に回転し、前記駆動モーター４４の動力が伝達されたギア２１と噛合状態にあるラックギア２２を介して、ディスク装置１の後方側に移動していたスライダー１９は前記駆動モーターの動力によって前記ディスク装置１の前方側へ移動する。そして、前記スライダー１９と連結する横スライダー２９も移動し、前記横スライダー２９に連結するトラバースユニット４９は連結部分を支点に略水平状態から傾斜状態となるよう傾動する。その結果、ターンテーブル４２とクランパー４によるディスクの挟持は解除される。
【００３７】
ターンテーブル４２とクランパー４による挟持が解除されたディスクは、記録面側において搬送ローラー４３に当接し、前記ディスクの表示面側においては押圧部材５１に押圧されて、前記ディスクは駆動モーター４４により回転する前記搬送ローラー４３によって挿入口３を介してディスク装置１の外部へ搬送される。尚、挿入口３よりディスクがある程度突出した時点で駆動モーター４４が停止するよう電気的に制御されている。
【００３８】
次に、ディスク装置１の故障や異常等によって通常の操作による排出が不可能な場合におけるディスクの強制的な排出を可能としたエマージェンシー機能について説明する。本考案の実施例においては、エマージェンシー機能を実現する上でスロットイン方式のディスク装置１を構成するために必要となる既存の部品形状を変更して、特別な部品を追加しない構造としている。
【００３９】
図１０は本考案の実施例におけるディスク支持部材単体の形状を示す斜視図であり、図１０（ａ）はディスク支持部材単体の天面側斜視図、図１０（ｂ）は同底面側斜視図、図１１は本考案の実施例におけるスライダー単体の形状を示す斜視図であり、図１１（ａ）はスライダー単体の天面側斜視図、図１１（ｂ）は同底面側斜視図である。同図で示すように、ディスク支持部材８及びスライダー１９には後述する強制解除部材が係る係止部（以下、ディスク支持部材側係止部３０及びスライダー側係止部３１と称す）を夫々形成している。そして、本考案の実施例で示すディスク装置１においては、前記ディスク支持部材８及び前記スライダー１９の可動方向を略同一としている。
【００４０】
図１２は本考案の実施例におけるディスク装置を内蔵した電子機器を示す正面側斜視図である。同図で示すように、本考案の実施例で示す電子機器３２は前面側に表示部３３を備えた所謂表示装置であり、前記電子機器３２の内部にはディスク装置１が内蔵されている。そして、前記電子機器３２の背面側には、後述する強制解除部材を前記電子機器３２の外部から前記電子機器３２内部に備えたディスク装置１におけるディスク支持部材側係止部３０及びスライダー側係止部３１に当接して、所定方向へ可動できる解除孔（以下、ディスク支持部材側解除孔３５及びスライダー側解除孔３６と称す）を夫々設けている。
【００４１】
図１３は本考案の実施例におけるディスク装置内部の所定位置に大径ディスクが搬送された状態を示す電子機器の背面図、図１４は本考案の実施例におけるディスク装置内部の所定位置に大径ディスクが搬送された状態を示す電子機器に備えるディスク装置単体の底面図、図１５は図１３の状態から強制解除部材によってスライダーを移動させた状態を示す電子機器の背面図、図１６は図１４の状態から強制解除部材によってスライダーを移動させた状態を示す電子機器に備えるディスク装置単体の底面図、図１７は図１５の状態から強制解除部材によってディスク支持部材を移動させた状態を示す電子機器の背面図、図１８は図１６の状態から強制解除部材によってディスク支持部材を移動させた状態を示す電子機器に備えるディスク装置単体の底面図である。同図で示すように、ディスク装置１内部の所定位置に大径ディスクＤが搬送されたまま前記ディスク装置１の故障や異常等によって通常の操作による排出が不可能な場合には、先ず、電子機器３２の背面側に設けたスライダー側解除孔３６に強制解除部材３７を挿通して前記強制解除部材３７の先端をスライダー側係止部３１に当接させ、スライダー１９を前方側（矢印Ｋの方向）へ移動させる。この動作により、トラバースユニット４９は連結部分を支点に略水平状態から傾斜状態となるよう傾動し、前記トラバースユニット４９の傾動動作によってターンテーブル４２とクランパー４による大径ディスクＤの挟持状態が解除される。
【００４２】
次に、電子機器３２の背面側に設けたディスク支持部材側解除孔３５に強制解除部材３７を挿通して前記強制解除部材３７の先端をディスク支持部材側係止部３０に当接させ、ディスク支持部材８を前方側（矢印Ｌの方向）へ移動させる。この動作により、前記支持部材８が大径ディスクＤの外周縁に当接した状態で前記大径ディスクＤを挿入口３側へ移動するため、前記大径ディスクＤの一部が前記挿入口３より突出し、ユーザーは電子機器３２から前記大径ディスクＤを取り出すことが出来る。
【００４３】
以上、本考案の一実施例について詳述したが、本考案は前記実施例に限定されるものではなく、本考案の主旨の範囲内で種々の変形実施が可能である。例えば、本考案の実施例では、大径ディスクと小径ディスクの２種のディスクに対応するディスク装置を例に説明を行ったが、大径ディスク又は小径ディスクのみに対応したディスク装置であっても良い。又、本考案の実施例において、ディスク装置を内蔵する電子機器として表示装置を例に説明を行ったが、例えばディスク再生機器や音響機器等ディスク装置を内蔵する電子機器全般において適用可能であり、本考案の主たる特徴を逸脱しない範囲で適宜選定することは可能である。
【符号の説明】
【００４４】
１．ディスク装置
２．フレーム
３．挿入口
４．クランパー
５ａ．ディスク検知スライダー
５ｂ．ディスク検知スライダー
６ａ．当接ピン
６ｂ．当接ピン
７．ディスク検知レバー
８．ディスク支持部材
９．中間ガイドレバー
１０．軸（ディスク検知レバー）
１１．長孔
１２．第１の突片
１３．他端部
１４ａ．セレクト溝
１４ｂ．セレクト溝
１５．コイルスプリング
１６．ピニオンギア
１７．ピン（ディスク支持部材）
１８．ガイド溝（中間ガイドレバー）
１９．スライダー
２０．減速ギア機構
２１．ギア
２２．ラックギア
２３．摺動カム溝
２４．第２の突片
２５ａ．セレクトガイド溝
２５ｂ．セレクトガイド溝
２６．第３の突片
２７．ガイド溝
２８．第４の突片
２９．横スライダー
３０．ディスク支持部材側係止部
３１．スライダー側係止部
３２．電子機器
３３．表示部
３５．ディスク支持部材側解除孔
３６．スライダー側解除孔
３７．強制解除部材
４１．長穴
４２．ターンテーブル
４３．搬送ローラー
４４．駆動モーター
４８．軸
４９．トラバースユニット
５０．ピックアップユニット
５１．押圧部材
Ｄ．大径ディスク
【図１】
0003161728.tif 000003
【図２】
0003161728.tif 000004
【図３】
0003161728.tif 000005
【図４】
0003161728.tif 000006
【図５】
0003161728.tif 000007
【図６】
0003161728.tif 000008
【図７】
0003161728.tif 000009
【図８】
0003161728.tif 000010
【図９】
0003161728.tif 000011
【図１０】
0003161728.tif 000012
【図１１】
0003161728.tif 000013
【図１２】
0003161728.tif 000014
【図１３】
0003161728.tif 000015
【図１４】
0003161728.tif 000016
【図１５】
0003161728.tif 000017
【図１６】
0003161728.tif 000018
【図１７】
0003161728.tif 000019
【図１８】
0003161728.tif 000020